(57)【要約】【課題】  防蚊性を備え、外観や風情に優れていると共に、既にある網戸に張り付けて使用可能であり、さらには単独でも網戸と成りうる防蚊網および該防蚊網を備える防蚊網戸を提供することである。【解決手段】  モノフィラメント仮撚糸を編織した網地に防蚊処理を施した防蚊網４とし、該防蚊網４を備える防蚊網戸１とした。【選択図】    図１
0003106628.tif 000002
【実用新案登録請求の範囲】
【請求項１】
モノフィラメント仮撚糸を編織した網地とし、該網地に防蚊処理を施したことを特徴とする防蚊網。
【請求項２】
前記モノフィラメント仮撚糸を平織り、もしくはからみ織りしたことを特徴とする請求項１に記載の防蚊網。
【請求項３】
前記モノフィラメント仮撚糸をトリコット編みしたことを特徴とする請求項１に記載の防蚊網。
【請求項４】
前記モノフィラメント仮撚糸を編織した網地に所定の模様柄をプリントしていることを特徴とする請求項１から３のいずれかに記載の防蚊網。
【請求項５】
請求項１から４のいずれかに記載の防蚊網を備えることを特徴とする防蚊網戸。
【請求項６】
前記防蚊網を、金網等の網戸に止着した構成としたことを特徴とする請求項５に記載の防蚊網戸。
【考案の詳細な説明】
【技術分野】
【０００１】  本考案は、網戸に係り、特に蚊や虫などの屋内への侵入を防止するための防蚊網および防蚊網戸に関するものである。
【背景技術】
【０００２】  従来、屋内へ通気は許容するが、蚊や虫などの侵入を防止するために網戸が用いられている。【０００３】  上記の網戸としては、戸枠に金網やナイロンワイヤ等の強力糸をメッシュ状とした防虫網を張り付けた構成の網戸が用いられている。また、それらの網戸は一般に青や緑などの単調な色合いの網戸であり、外部から屋内が覗かれないためや、風情を出すためには、前記網戸の屋内側には別にカーテンやレース等を使用する必要がある。【０００４】  そのために、こうした従来の網戸に対して模様を付加するために考案された網戸用網として、レース編地に樹脂コーティングしてなる網戸用網が既に出願されている。（例えば、特許文献１参照）。
【特許文献１】  実登第３００５５１１号公報（第１−５頁、第１図）
【考案の開示】
【考案が解決しようとする課題】
【０００５】  一般に網戸は小さな虫や蚊等が屋内に侵入してこないようにするものであり、その網目は細かくする必要がある。そのために、細い金属線や細いナイロンワイヤ等の線材をメッシュ状に細かい織目で平織りして、その織目がずれないように緊張した状態で戸枠に張り付けている。またそのために、前記細い線材をメッシュ状に織り込んだ網地の強度は強くなく、該網地に尖ったものや硬いものが接触したり突き当たると、その部分が破れて孔が空き易い。【０００６】  さらに、前記網地は単調な色合いの網地であり、外観が良くなく、風情もない。また、前記網地が破れたり孔が空いていたりすると、外観や風情がさらに悪くなる。【０００７】  模様を付加するとした前記網戸用網は、レース編地により模様を表し、樹脂コーティングにより該レース編地に強度及び張りを持たせるようにしたものであるため、模様ごとに異なったレース編地を製作しておく必要があり、一旦製作した所定の模様を簡単に替えることはできず、模様を替える際には、前記網戸用網を張り替えるか、もしくは網戸毎交換する必要がある。【０００８】  本考案の目的は、通風性と防蚊性を備え、外観や風情に優れていると共に、既にある網戸に張り付けて使用可能であり、さらには単独でも網戸と成りうる防蚊網および該防蚊網を備える防蚊網戸を提供することである。
【課題を解決するための手段】
【０００９】  上記の目的を達成するために請求項１に係る考案は、モノフィラメント仮撚糸を編織して網地とし、該網地に防蚊処理を施した防蚊網であることを特徴としている。【００１０】  上記の構成を有する請求項１に係る考案によれば、モノフィラメント仮撚糸を編織した網地としたので、編織する糸条同士がずれ難くその織目や編目がくずれず、通気性を備える防蚊網として使用することができる。【００１１】  請求項２に係る考案は、前記モノフィラメント仮撚糸を平織り、もしくはからみ織りしたことを特徴としている。【００１２】  上記の構成を有する請求項２に係る考案によれば、モノフィラメント仮撚糸を平織り、またはからみ織りして、通気性と防蚊性を備える網地とすることができる。【００１３】  請求項３に係る考案は、前記モノフィラメント仮撚糸をトリコット編みしたことを特徴としている。【００１４】  上記の構成を有する請求項３に係る考案によれば、モノフィラメント仮撚糸をトリコット編みすることで、緻密なピッチで編成することができ、さらに効果的に蚊や虫等の侵入を防止することができる。【００１５】  請求項４に係る考案は、前記モノフィラメント仮撚糸を編織した網地に所定の模様柄をプリントしていることを特徴としている。【００１６】  上記の構成を有する請求項４に係る考案によれば、所望の色合いや絵柄を有する外観に優れた防蚊網を形成することができる。【００１７】  請求項５に係る考案は、請求項１から４のいずれかに記載の防蚊網を備える防蚊網戸としたことを特徴としている。【００１８】  上記の構成を有する請求項５に係る考案によれば、通気性と防蚊性を有すると共に、任意の絵柄を備える網戸とすることができる。【００１９】  請求項６に係る考案は、前記防蚊網を、金網等の網戸に止着する構成としたことを特徴としている。【００２０】  上記の構成を有する請求項６に係る考案によれば、従来の網戸を補修する際に、本考案に係る防蚊網を止着することで、通気性と防蚊性を有すると共に、任意の絵柄を備える網戸とすることができる。
【考案の効果】
【００２１】  本考案によれば、モノフィラメント仮撚糸を編織して網地とし、該網地に防蚊処理を施した防蚊網および該防蚊網を備える防蚊網戸としたので、通気性と防蚊性を備え、外観や風情に優れていると共に、既にある網戸に張り付けて使用可能であり、さらには単独でも網戸と成りうる防蚊網および該防蚊網を備える防蚊網戸を得ることができる。
【考案を実施するための最良の形態】
【００２２】  通気性と防蚊性を備え、外観や風情に優れていると共に、既にある網戸に張り付けて使用可能であり、さらには単独でも網戸と成りうる防蚊網および該防蚊網を備える防蚊網戸を得るという目的を、モノフィラメント仮撚糸を編織して網地とし、該網地に防蚊処理を施した防蚊網を備える防蚊網戸とすることで実現した。
【実施例】
【００２３】  以下、本考案に係る防蚊網および防蚊網戸の実施例について、図１および図２に基づいて詳細に説明する。【００２４】  図１は本考案に係る防蚊網戸の一例を示しており、（ａ）は全体正面図であり、（ｂ）は一部断面拡大図である。図２には本考案に係る防蚊網を示しており、（ａ）は織物構成の防蚊網を示し、（ｂ）は編物構成の防蚊網を示している。【００２５】  図１（ａ）に示すように本考案に係る防蚊網戸１は、戸枠２に装着された網部材３の少なくとも一方の面に防蚊網４を張り付けた構成としている。また、前記防蚊網４を前記網部材３に張り付ける際には、接着剤を用いて貼付することも可能であるが、図１（ｂ）に示すように、膨出部を備える樹脂製の止着ピン５を、前記防蚊網４と前記網部材３とのそれぞれの網目を貫通するように嵌入して固定することで、前記防蚊網４を前記網部材の任意の位置に容易に止着可能となり好適である。【００２６】  前記網部材３は、細い金属線や細いナイロンワイヤ等の線材をメッシュ状に細かい織目で平織りしたものであり、一般に使用されている網材である。前記網部材３の織目は、蚊や小さな虫等が侵入しない程度の細かい織目であることが好ましいが、本考案のように、さらに防蚊網４を貼付して使用する場合には、その織目を細かくする必要はなく、粗い目付けの網部材３に細かい日付けの防蚊網４を貼付してもよい。【００２７】  また、前記網部材３は一般に単調な色合いの網材であり、外観が良くなく、風情もない。そのために、前記網部材３が破れたり孔が空いていたりすると、外観や風情がさらに悪くなる。【００２８】  防蚊網４は、例えば図２（ａ）に示すように、モノフィラメント仮撚糸を平織りしたものであって、例えば、２０Ｄ（デニール）のポリエステルモノフィラメントの仮撚糸を経糸、緯糸の両方共に用いて緻密に平織りした構成の防蚊網４Ａとしている。【００２９】  ただ単にモノフィラメント糸を平織りしただけでは、織目を形成する経糸、緯糸の糸条同士がずれてしまい、織目の大きさが変動することがある。糸条同士がずれて織目の大きさが変動して大きな目付けになると、そこから蚊や小さな虫が侵入する場合があり、防蚊網戸の役目を果さなくなる。【００３０】  しかし、本考案では、モノフィラメント糸を仮撚加工したモノフィラメント仮撚糸を平織りした防蚊網４Ａとしているので、仮撚加工された糸条が備えるバルキー性と捲縮性のために、糸条同士がずれ難い構成であるので、経糸、緯糸を単に平織りした網地としても一旦形成されたその織目がずれない網地を形成することができる。【００３１】  また、モノフィラメント仮撚糸を平織りする構成であるので、その織目を所望の大きさの日付けのメッシュ状とすることも容易であり、製織する際に経糸、緯糸の本数を加減して適当な織り密度とするだけで、通気性を備えると共に、防蚊性を備える網地を製作することができる。【００３２】  前記防蚊網４を平織りではなく、からみ織りして形成することもできる。からみ織りとは単に経糸と緯糸とを織り込むだけでなく、経糸と緯糸とを絡みつかせるようにして織っていく織成方法であり、さらに織目がずれ難い構成となり好適である。【００３３】  また、図２（ｂ）に示すように、前��防蚊網４を編成して形成することもできる。編成する際には、緻密な編成が可能なトリコット編みすることが好ましい。トリコット編みとは経編みの一種であり、よこ編みでは達成できない程の緻密な編みピッチで編成できるものであり、防蚊性を備える程度の編目（例えば、０．５〜１．５ｍｍピッチ）の防蚊網４Ｂを編成することができる。【００３４】  上記したように、前記防蚊網４Ａ，４Ｂはモノフィラメント仮撚糸を編織した布状の網地であるので、この網地に所望の色合いや絵柄をプリントすることができる。また前記布状の網地に前処理として防蚊処理を施すことで、通気性を備えると共にさらに強力な防蚊性を備える網地とすることができる。【００３５】  前記防蚊処理とは、前記網地に蚊や虫等が忌避作用を発揮する成分を含浸することである。また前記忌避作用を発揮できる成分として、例えばユーカリ油、レモン油、ローズゼラニウム油等の精油中に含まれているシネオール、リモネン等の精油成分が好適であることが知られている。また、これらの精油成分は芳香性、殺菌による脱臭性をも有するものが多く、繊維に用いるのに適しているといえる。【００３６】  さらに、ポリエステルモノフィラメントの仮撚糸等の合成繊維に対しては、特殊トルイル酸誘導体を主成分とする加工剤を含浸、塗布、練り込み等の手段により布状の網地本体に施すことで、防蚊性機能を発揮することができる。【００３７】  また、図１（ｂ）に示すように、戸枠２に装着された網部材３の面に防蚊網４を止着した構成の防蚊網戸ではなく、防蚊網４のみで網地を形成してもよい。【００３８】  そのためには、防蚊網４を形成するモノフィラメント仮撚糸４０を強度の高い糸条とする必要があり、前記した２０Ｄよりも太い３０〜５０Ｄ程度のモノフィラメント仮撚糸を使用することが好適である。【００３９】  防蚊網４を、従来の網戸に止着して使用するタイプのものでは、止着したい部分に接着剤を塗布して貼付するか、もしくは止着ピン５を用いて所定位置に止着することができる。また貼付する際には、網地全面に接着剤を塗布する必要はなく、外周囲及び中央部付近等に塗布すればよく、止着ピン５を用いる場合でも、外周囲の所定位置（例えば、四隅）に嵌入して止着すればよい。【００４０】  また、前記防蚊網４は、モノフィラメント仮撚糸を編織した網地であるので、薄くて軽量であり、持ち運びが容易であり、止着作業の簡単であるので、従来の網戸を補修するメンテナンス作業を容易に行うことができる。また、部屋の模様替えの際にも、所望の絵柄をプリントした防蚊網４を止着するだけでよい。【００４１】  上記したように本考案によれば、モノフィラメント仮撚糸を編織して網地とし、該網地に防蚊処理を施した防蚊網および該防蚊網を備える防蚊網戸としたので、糸条同士がずれ難く織目や編目が変形せず、通気性を備えると共にさらに強力な防蚊性を備えた防蚊網戸を得ることができる、さらに、所望の絵柄をプリントする構成としたので外観や風情に優れていると共に、既にある網戸に張り付けて使用可能であり、さらには単独でも網戸と成りうる防蚊網および該防蚊網を備える防蚊網戸を得ることができる。
【図面の簡単な説明】
【００４２】
【図１】  本考案に係る防蚊網戸の一例を示しており、（ａ）は全体正面図であり、（ｂ）は一部断面拡大図である。
【図２】  本考案に係る防蚊網を示しており、（ａ）は織成した防蚊網を示し、（ｂ）には編成した防蚊網を示している。
【符号の説明】
【００４３】１  防蚊網戸
２  戸枠
３  網部材
４  防蚊網
【図１】
0003106628.tif 000003
【図２】
0003106628.tif 000004